(57)【特許請求の範囲】
【請求項１】
支柱に継手が取り付けられ、この継手を介して支柱の側面に端面を向けてビーム端部が接続される防護柵の支柱とビームの取付構造において、継手は支柱に挟着される挟着片が上面略視コ字形に形成された支持部と、支持部からビームの接続方向にビーム端部を挿入させるために筒部が形成された接続部とからなり、支持部において挟着片と支柱とが支持軸によって軸着され、支柱の側面と挟着片の付け根部との間に隙間部を設けることによって、前記の支持軸を軸として接続部が支柱に対して上下方向に回動可能となされ、且つ、継手は、支持部と接続部とが一体的に形成されると共に支柱を挟んで組み合わせられる複数の割ピースにより構成され、割ピースは、その接続部に互いに嵌合する係止片が形成されたことを特徴とする防護柵のビーム取付構造。
【請求項２】
継手が２つの割ピースからなり、その割ピースが同一の形状となされたことを特徴とする請求項１記載の防護柵のビーム取付構造。
【請求項３】
支柱に継手が取り付けられ、この継手を介して支柱の側面に端面を向けてビーム端部が接続される防護柵の支柱とビームの取付構造において、継手は支柱に挟着される挟着片が上面略視コ字形に形成された支持部と、支持部からビームの接続方向にビーム端部を挿入させるために筒部が形成された接続部とからなり、支持部において挟着片と支柱とが支持軸によって軸着され、支柱の側面と挟着片の付け根部との間に隙間部を設けることによって、前記の支持軸を軸として接続部が支柱に対して上下方向に回動可能となされ、且つ、接続部の筒部の開口端部が、それに挿入されるビーム端部の外径幅寸法よりも幾分横長の開口幅寸法となされたことを特徴とする防護柵のビーム取付構造。
【請求項４】
接続部の筒部の内側に、ビーム端部の側面に当接する突出片が形成されたことを特徴とする請求項３記載の防護柵のビーム取付構造。
【発明の詳細な説明】
【０００１】
【発明の属する技術分野】
本発明は歩車道の境界や敷地境界線上等、あるいは公園や遊歩道、自転車道等に沿って設置される防護柵に関し、特に勾配のある設置場所に好適に用いられる防護柵のビーム取付構造に関するものである。
【０００２】
【従来の技術】
歩車道の境界、敷地境界線上や公園等に設置される防護柵は、一般に設置される境界線等に沿って設けられるビームを境界線等に沿って適宜間隔に立てられた複数本数の支柱間に架設され、その取付組立方法は図６（イ）に表す如く、上部Ｕ字形の取付金具Ａ一対をその底部に穿設された支柱取付孔にボルト・ナットを介して支柱Ｂに固定したうえで、該取付金具Ａの側面に穿設されたビーム取付孔にボルト・ナットを介してビームＣを挟着固定するものが知られている。
【０００３】
かかる従来工法によって柵を傾斜地に設置する場合には、取付金具はビームが傾斜して取り付けられることを想定してやや大きめに製作されなければならず、取付金具ＡとビームＣとの間に図６（ハ）に示すＤのような隙間を生じるという問題があり、また、支柱の左右に取り付けられた取付金具Ａのビーム取付ボルト部分にビームの屈曲点Ｅがあるため、傾斜地においてビームＣを通り芯を出して一直線に設置するためには、図６（ロ）に示すように支柱Ｂに対して取付金具Ａの取付高さ位置があらかじめ上下にずらして設けられねばならず、支柱に対して正確に取付位置を加工するのが難しいという問題がある。
【０００４】
さらに、高さ方向の変化に加え水平面での屈曲にも対応させるために例えば、実開平４−１２２７２３号公報に見られるように支柱に当接させた球面を有する座金とビーム端部に設けた球面を有する取付金具とを搨動させて支柱とビームの接続角度を可変させる方法が開示されているが、かかる方法によっても傾斜地におけるビームの通り芯のズレの問題は金具の固定位置での誤差の範囲内の調整に留まっていて基本的には解決されず、また座金と取付金具の搨動面にゴミが詰まり易くて回動不良の原因となるという問題もあり、さらに座金は当接される支柱側面の形状に合わせて設計されるために支柱の種類毎に座金が必要となる。
【０００５】
【発明が解決しようとする課題】
かかる従来工法の欠点を解消するために、ビームと継手との接続部分において隙間を生じることなく連続して接続されるビームの通り芯が簡単に出せて、しかも傾斜地においても水平地での設置と変わらない短工程で設置が可能な、さらに水平方向の屈曲に対して自在に対応でき、また施工段階においてビームの仮置き設置ができる楽な施工方法で、かつ取り付けようとする支柱の種類を１種類のみに限定しない防護柵のビーム取付構造を提供せんとするものである。
【０００６】
【課題を解決するための手段】
上記課題を解決するために、本発明防護柵のビーム取付構造は次のように構成される。  すなわち、支柱に継手が取り付けられ、この継手を介して支柱の側面に端面を向けてビーム端部が接続される防護柵の支柱とビームの取付構造において、継手は支柱に挟着される挟着片が上面略視コ字形に形成された支持部と、支持部からビームの接続方向にビーム端部を挿入させるために筒部が形成された接続部とからなり、支持部において挟着片と支柱とが支持軸によって軸着され、支柱の側面と挟着片の付け根部との間に隙間部を設けることによって、前記の支持軸を軸として接続部が支柱に対して上下方向に回動可能となされ、且つ、継手は、支持部と接続部とが一体的に形成されると共に支柱を挟んで組み合わせられる複数の割ピースにより構成され、割ピースは、その接続部に互いに嵌合する係止片が形成されたことを特徴とするものである。
【０００７】
【０００８】
【０００９】
【００１０】
また本発明防護柵のビーム取付構造は、継手が２つの割ピースからなり、その割ピースが同一の形状となされたことを特徴とするものである。
【００１１】
さらにまた本発明防護柵のビーム取付構造は、支柱に継手が取り付けられ、この継手を介して支柱の側面に端面を向けてビーム端部が接続される防護柵の支柱とビームの取付構造において、継手は支柱に挟着される挟着片が上面略視コ字形に形成された支持部と、支持部からビームの接続方向にビーム端部を挿入させるために筒部が形成された接続部とからなり、支持部において挟着片と支柱とが支持軸によって軸着され、支柱の側面と挟着片の付け根部との間に隙間部を設けることによって、前記の支持軸を軸として接続部が支柱に対して上下方向に回動可能となされ、且つ、接続部の筒部の開口端部が、それに挿入されるビーム端部の外径幅寸法よりも幾分横長の開口幅寸法となされたことを特徴とするものである。
【００１２】
そしてさらに本発明防護柵のビーム取付構造は、継手の接続部の筒部の内側に、ビーム端部の側面に当接する突出片が形成されたものである。
【００１３】
【００１４】
【００１５】
【発明の実施の形態】
以下、本発明の実施の形態について、図面に基づいて説明する。
図１は、防護柵のビーム取付構造の参考例を表す斜視図であり、継手３を介して丸形支柱１の側面に端面を向けて支柱１の左右に２本の丸形ビーム２が接続される支柱１とビーム２の取付構造を表したものであるが、継手３は上面略視コ字形に形成された支持部３１の挟着片３３によって支柱１に挟着されて支持軸３２によって軸着されるとともに、支持部３１からビーム２への接続方向に形成された接続部４１にはビーム２端部が挿入させられて支柱１とビーム２とが接続され、支柱１の側面と挟着片付け根部３４との間に隙間部５が設けられることによって、前記支持軸３２を軸として継手３の接続部４１が支柱１に対して上下方向に回動可能となされた状態を表している。
【００１６】
図１において支柱１の左右に２個設けられた継手３，３は、それぞれの支持部３１の挟着片３３において支持軸３２を共用して支柱１に軸着されているので、その端部を挿入させられた支柱１の左右のビーム２，２はそれぞれが個別に支柱１に対して上下方向に回動可能となされている。したがつて、この実施の形態を適用された防護柵のビーム取付構造によって、防護柵は地表の起伏に対して自在に対応して設置可能となされる。
【００１７】
図２は、本発明防護柵のビーム取付構造を適用した実施例の一形態を表す斜視図であり、また、図３（イ）は図２の上断面図、（ロ）は正面図、（ハ）は一部断面の側面図である。
【００１８】
図２は、継手３を介して丸形支柱１の側面に端面を向けて丸形ビーム２端部が接続される防護柵の支柱１とビーム２の取付構造を斜視図によって表したもので、この実施形態の例において継手３が上面略視コ字形に形成された挟着片３３により支柱１に挟着されて支持軸３２によって軸着された状態を表しており、ここにおいて継手３は支柱１を挟んで２つの同一形状の割ピース６が組み合わせられたものであり、２つの割ピース６に形成された係止片４３は相対する割ピース６の一片と互いにかみ合わされて嵌合して接続部４１の筒部４２が形成され、その筒部４２にビーム２端部が挿入されるように構成されている。また、接続部４１の筒部４２にはビーム２端部をボルトによって接続するためのビーム取付孔４５が穿設され、このビーム取付孔４５に隣接して筒部４２内側に突出片４４が突設され、ここに挿入されるビーム２の端部の側面に当接されるようになされる。
【００１９】
ここにおいて、前記支持部３１が支持軸３２によって軸着されて割ピース６が支持軸３２を軸芯としてスムーズに回動され、かつ支持軸３２を構成するボルト・ナットを緊締して継手３を支柱１に固定する際には安定して確実に固着されるように、割ピース６の支持部３１には支持軸３２を中心として同心円上に支柱１の側面に当接される平面が形成されている。また、割ピース６がビーム２端部の側面に沿って当接されて、ビーム２端部をボルト・ナットの緊締によって継手３の割ピース６に接続させる際に安定して確実に固着されるために、前記のビーム取付孔４５周辺についても割ピース６がビーム２の側面やビーム接続用ボルト頭に適合する当接点・面が形成されている。
【００２０】
つづいて、図３（イ）〜（ハ）によって図２の実施形態例における、支柱１に対するビーム２の動作について説明する。図３（イ）に示す継手３の接続部４１に形成された筒部４２の開口幅寸法Ｙが、それに挿入されるビーム２の外径幅寸法Ｚよりも幾分横長の開口寸法になされることによって、防護柵を設置する際の水平方向の屈曲ズレに対応して支柱１に対するビーム２の水平面での接続角度の微調整が可能となり、さらに接続部４１の筒部４２の内側に形成された突出片４４がビーム２端部側面に当接され、ビーム２はこの突出片４４との当接点を支点として水平方向の屈曲ズレに対して図中の矢印の如く接続角度片側あたりＲｈの微調整が可能となされて、ビーム２端部が接続部４１の筒部４２に安定して挿入・接続されるように構成されている。
【００２１】
また、図３（イ）に示す如く、支柱１の側面と継手３の挟着片付け根部３４との間に隙間部５が確保された状態で、継手３の挟着片３３が支持軸３２によって支柱１に軸着されて接続部４１が支柱１に対して上下方向に回動可能となされているので、図３（ロ）の矢印に示す如くビーム２は支柱１に対して上下にそれぞれＲｖの傾斜角度範囲をもって接続可能になされている。
【００２２】
また、図３（ハ）には継手３を形成する２つの同一の形状の割ピース６が支柱１を挟んで組み合わせられて、２つの割ピース６に形成された係止片４３が相対する割ピース６の一片と互いにかみ合わされて嵌合して接続部４１の筒部４２が形成され、それにビーム２の端部が挿入された状態を表している。
【００２３】
図４は、防護柵のビーム取付構造の参考例を表す分解斜視図、図５はその参考例の展開，動作を説明する図面である。
【００２４】
図４は、継手３を構成する支持部３１と接続部４１が、それぞれ支持部ピース３０と接続部ピース４０とに別部品として作製されたうえ、接続部４１が支持部３１に対して水平方向に回動自在に軸着されたものである。
【００２５】
図５（イ），（ロ），（ハ）は、図４（イ）を支柱１の左右にビーム２の端部を接続して組み立てた、それぞれ正面図，側面図，上面図を示し、同図（イ）においてビーム２が支柱１に対して上下方向に回動する様子を、また同図（ハ）においてはビーム２が支柱１に対して上下方向と直交する水平方向に回動する様子を表しており、継手３の接続部４１が支持部３１に対して上下方向ならびに水平方向に回動自在に軸着されることによって、防護柵は地表の起伏に対して自在に対応して設置可能となされ、かつ平面レイアウト上の屈曲に対しても自在に対応して設置可能となされる。
【００２６】
さらに図５（ニ）には、図５（イ）〜（ハ）に示した丸支柱に対して用いられた同じ継手３を用いて角支柱１に対してもビーム２が接続できることを示した。また、継手３の相対する挟着片３３，３３の間隔は多少拡げられたり、あるいは狭められたり可能なことによって若干の異なった外径寸法をもった支柱にも適用可能なことから、防護柵のビーム取付構造において継手は使用される支柱が一種類のみに限定されることなく、支柱の外径の形状や寸法に対してある程度の展開範囲をもって対処可能に適用しうるものであることを示している。
【００２７】
上述の図１〜図５において、支柱１およびビーム２は鋼製，アルミニウム製，ステンレススチール製等による中空のパイプ支柱に同じく金属製のパイプビームが接続される場合を表しているが、必ずしも中空パイプに限定されるわけではなく、また用途面、素材面でも樹脂製の例えば擬木柵や木製の手摺柵等についても同様に適用される。一方、継手３は上記本発明の実施の形態の各例においては、金属板材のプレス加工による成型品によって説明し、係止片４３，突出片４４についてもプレス加工による成型片によって示したが、継手３が金属製の鋳造品や強化プラスチック製の成型品によって製作されてもよく、それらの場合について係止片４３，突出片４４はそれぞれの製法に好適な形状に形成されればよく、例えば凸状の突設片やあるいはリベットが装着されてその頭部によって突出片４４となされるのが好適で、割ピース６の嵌合についても互いに凹凸状に形成された嵌着可能な係止片４３となされていてもよい。
【００２８】
さらに、図２の実施形態例において突出片４４は、継手３にビーム２の端部を取り付ける際に使用されるビーム取付孔４５の上下に隣接して突出片４４を突設させたものであるが、この場合突出片４４とビーム取付孔４５は一工程で成型加工され加工コストが安いうえに、この少しの距離をおいて配設された上下２つの突出片４４は、ビーム２の端部の片側に上下２つ計４箇所でビーム２の側面と当接させられるため、ビーム２の端部の上下方向へのフラつきを規制してビーム２を継手３に安定して接続できて好適である。
【００２９】
【発明の効果】
上述の如く、本発明防護柵のビーム取付構造は、支柱に継手が取り付けられ、この継手を介して支柱の側面に端面を向けてビーム端部が接続される防護柵の支柱とビーム取付構造において、継手は支柱に挟着される挟着片が上面略視コ字形に形成された支持部と、この支持部からビームの接続方向にビーム端部を挿入させるために筒部が形成された接続部とからなり、支持部において挟着片と支柱とが支持軸によって軸着され、支柱の側面と継手の挟着片との付け根部との間に隙間部を設けることによって、前記の支持軸を軸として接続部が支柱に対して上下方向に回動可能となされているので、防護柵を傾斜地に設置しようとする場合においても水平地の設置とまったく同じ施工方法で設置施工ができて、設置場所の地面の起伏に対しても自在に対応可能である。
【００３０】
また、防護柵の設置にあたってビーム端部を継手の接続部の筒部に挿入させたうえでビーム端部の接続固定がなされるため、施工段階でのビームの仮置き設置ができて、楽な施工方法で設置できて短工程の効率のよい工事がなされる。
【００３１】
また本発明防護柵のビーム取付構造は、継手が支持部と接続部とが一体的に形成されているので、継手部品の製作が容易になるとともにビームの接続強度が向上して好ましい。
【００３２】
また本発明防護柵のビーム取付構造は、継手が支柱を挟んで組み合わせられる複数の割ピースにより構成されているので、支柱を傾けながら継手にビーム端部を差し込む必要がなく、防護柵の支柱を建て込み後たとえその基礎コンクリートが完全に固まった後においても、ビーム端部を複数の割ピースによって挟み込むようにして支柱に接続・固定ができて、防護柵全体の組立工程上端から順に施工することなく設置レイアウトの全体を一斉に組み立てることができて組立日数を大幅に短縮でき、かつ継手を構成する部品がかさばらずに部品の輸送上も好都合となる。
【００３３】
さらに本発明防護柵のビーム取付構造は、支柱を挟んで組み合わせられる複数の割ピースにより構成された継手において、割ピースの接続部に互いに嵌合する係止片が形成されているので、その係止片がガイドとなって継手の組み合わせがスムーズに行えて、かつ確実な嵌合がなされて組立工数の短縮と施工精度の確保が十分になされて効果的となる。
【００３４】
さらにまた本発明防護柵のビーム取付構造は、２つの割ピースからなる継手の各々の割ピースが同一の形状となされた場合には、継手を構成する割ピースの各部品の共通化による部品コストおよびその管理コストを安く抑えることができてトータルコストの低減がはかれて好都合である。
【００３５】
さらにまた本発明防護柵のビーム取付構造は、継手の接続部の筒部の開口端部の開口幅寸法が、それに挿入されるビームの横幅寸法よりも幾分横長の開口寸法になされた場合には、継手の接続部の筒部に挿入されたビーム端部が筒部の入口において水平方向に若干の回動が可能となって、防護柵を設置する際の水平方向の屈曲ズレに対応して支柱に対してビームの水平面での接続角度の微調整が可能となり、施工精度のバラツキを防いで厳密な精度管理の不要なスピーディな設置施工がなされうる。
【００３６】
そしてさらに本発明防護柵のビーム取付構造は、継手の接続部の筒部の内側にビーム端部の側面に当接する突出片が形成された場合には、ビーム端部の側面をこの突出片と当接させることによって、この突出片を支点としたビームの水平面での接続角度の微調整に加えて、ビームの端部のフラつきを規制してビームを継手に安定して接続できて好適である。
【００３７】
さらにまた本発明防護柵のビーム取付構造は、継手が支柱の左右に２個設けられた場合には、防護柵を傾斜地に設置しようとする場合に設置場所の地面が変化をもって起伏をなしている場合においてもビームの設置が自在に対応可能であるうえに、一定勾配の傾斜地に設置された場合のビームの通り芯が出せて意匠上も優れた外観を呈して美観を損なわない。
【００３８】
そしてさらに本発明防護柵のビーム取付構造は、継手の接続部が支持部に対して水平方向に回動自在に軸着されてなる場合には、継手の支柱に対する上下方向の回動と直交する方向の回動が自在になされて、防護柵の傾斜地への設置だけでなく平面レイアウト上の配置に対しても自在に対応可能となり、水平・垂直方向のあらゆる設置条件にも設置対応可能な優れた防護柵となされる。
【００３９】
そしてなおさらに本発明防護柵のビーム取付構造は、継手が支柱に挟着される挟着片が上面略視コ字形に形成され、かつ支柱の側面と継手の挟着片付け根部との間に隙間部が設けられ、挟着片と支柱とが支持軸によって軸着されているため、継手の相対する挟着片の間隔が多少拡げられたりあるいは狭められたり可能なことによって若干の異なった外径寸法の支柱にも適用可能であるので、一種類の継手に使用される支柱が一種類のみに限定されることなく、支柱の外径の形状や寸法に対して数種類の支柱に共通に同じ継手が共用できるなど、ある程度の展開範囲をもって対処可能に適用しうるものである。
【図面の簡単な説明】
【図１】  防護柵のビーム取付構造の参考例を表す斜視図である。
【図２】  本発明防護柵のビーム取付構造の実施形態の他の一例を表す斜視図である。
【図３】  図２の実施形態例の（イ）は上部断面図、（ロ）は正面図、（ハ）は一部断面の側面図である。
【図４】  防護柵のビーム取付構造の参考例を表す分解斜視図である。
【図５】  図４（イ）の参考例を支柱１の左右にビーム２本を接続して組み立てた、（イ），（ロ），（ハ）はそれぞれ正面図，側面図，上面図を示し、（ニ）は、同様に角支柱を用いて接続した場合の上面図を示す。
【図６】  従来の防護柵の実施形態例の（イ）は組立斜視図、（ロ）は正面図、（ハ）は（ロ）の要部の拡大正面図である。
【符号の説明】
１    支柱
２    ビーム
３    継手
３０  支持部ピース
３１  支持部
３２  支持軸
３３  挟着片
３４  挟着片付け根部
４０  接続部ピース
４１  接続部
４２  筒部
４３  係止片
４４  突出片
４５  ビーム取付孔
５    隙間部
６    割ピース
【図１】
0003737888.tif 000002
【図２】
0003737888.tif 000003
【図３】
0003737888.tif 000004
【図４】
0003737888.tif 000005
【図５】
0003737888.tif 000006
【図６】
0003737888.tif 000007